(57)【要約】【課題】自動車に搭載される画像記録システムにおいて、画像の品質を制御し、有用な画像を効率よく記録することを課題とする。【解決手段】自動車が走行を開始すると、ズーム率がＺ1に調整された状態でカメラが画像を撮影し、撮影画像がメモリ（リングバッファ）に格納される。自動車が基準の速度である速度Ｖ1に達し、速度Ｖ1が所定時間（Ｔ1）以上継続した場合には、カメラのズーム率がＺ2に調整される。このようにして、速度に応じてズーム率が調整されつつメモリには所定時間分の画像が蓄積される。そして、制御部は、異常状態を認識すると、メモリに格納されている撮影画像を保存する。【選択図】図４
2006270175.tif 000002
【特許請求の範囲】
【請求項１】
自動車に搭載され、撮影画像を記録するシステムであって、
前記自動車の走行中に車外を撮影する撮影手段と、
前記撮影手段から出力された画像を蓄積する記憶手段と、
前記自動車の速度を検出する速度検出手段と、
前記自動車の異常状態を検出する異常検出手段と、
制御手段と、
を備え、
前記制御手段は、
前記速度検出手段から前記自動車の速度を取得し、前記自動車の速度に応じて前記撮影手段のズーム率を変化させる手段と、
前記撮影手段から出力された画像のうち最新の所定時間分の画像を前記記憶手段に記録し、前記異常検出手段が異常を検出した場合、前記記憶手段に記録されている前記所定時間分の画像を保存する手段と、
を備えることを特徴とする車載画像記録システム。
【請求項２】
請求項１に記載の車載画像記録システムにおいて、
前記制御手段は、前記自動車の速度が速くなるにつれて、前記撮影手段のズーム率を高くすることを特徴とする車載画像記録システム。
【請求項３】
自動車に搭載され、撮影画像を記録するシステムであって、
前記自動車の走行中に車外を撮影する撮影手段と、
前記撮影手段から出力された画像を蓄積する記憶手段と、
前記自動車の速度を検出する速度検出手段と、
前記自動車の異常状態を検出する異常検出手段と、
制御手段と、
を備え、
前記制御手段は、
前記速度検出手段から前記自動車の速度を取得し、前記自動車の速度に応じて前記撮影手段の解像度を変化させる手段と、
前記撮影手段から出力された画像のうち最新の所定時間分の画像を前記記憶手段に記録し、前記異常検出手段が異常を検出した場合、前記記憶手段に記録されている前記所定時間分の画像を保存する手段と、
を備えることを特徴とする車載画像記録システム。
【請求項４】
請求項３に記載の車載画像記録システムにおいて、
前記制御手段は、前記自動車の速度が速くなるにつれて、前記撮影手段の解像度を高くすることを特徴とする車載画像記録システム。
【請求項５】
自動車に搭載され、撮影画像を記録するシステムであって、
前記自動車の走行中に車外を撮影する撮影手段と、
前記撮影手段から出力された画像を蓄積する記憶手段と、
前記自動車の速度を検出する速度検出手段と、
前記自動車の異常状態を検出する異常検出手段と、
制御手段と、
を備え、
前記制御手段は、
前記速度検出手段から前記自動車の速度を取得し、前記自動車の速度に応じて前記撮影手段のフレームレートを変化させる手段と、
前記撮影手段から出力された画像のうち最新の所定時間分の画像を前記記憶手段に記録し、前記異常検出手段が異常を検出した場合、前記記憶手段に記録されている前記所定時間分の画像を保存する手段と、
を備えることを特徴とする車載画像記録システム。
【請求項６】
請求項５に記載の車載画像記録システムにおいて、
前記制御手段は、前記自動車の速度が速くなるにつれて、前記撮影手段のフレームレートを高くすることを特徴とする車載画像記録システム。
【請求項７】
自動車に搭載され、撮影画像を記録するシステムであって、
前記自動車の走行中に車外を撮影する撮影手段と、
前記撮影手段から出力された画像を蓄積する記憶手段と、
ブレーキ操作を検出するブレーキ操作検出手段と、
前記自動車の異常状態を検出する異常検出手段と、
制御手段と、
を備え、
前記制御手段は、
前記ブレーキ操作検出手段が前記ブレーキ操作を検出した場合、前記撮影手段のズーム率を変化させる手段と、
前記撮影手段から出力された画像のうち最新の所定時間分の画像を前記記憶手段に記録し、前記異常検出手段が異常を検出した場合、前記記憶手段に記録されている前記所定時間分の画像を保存する手段と、
を備えることを特徴とする車載画像記録システム。
【請求項８】
請求項７に記載の車載画像記録システムにいおいて、
前記制御手段は、前記ブレーキ操作検出手段が前記ブレーキ操作を検出した場合、前記撮影手段のズーム率を低下させることを特徴とする車載画像記録システム。
【請求項９】
自動車に搭載され、撮影画像を記録するシステムであって、
前記自動車の走行中に車外を撮影する撮影手段と、
前記撮影手段から出力された画像を蓄積する記憶手段と、
ブレーキ操作を検出するブレーキ操作検出手段と、
前記自動車の異常状態を検出する異常検出手段と、
制御手段と、
を備え、
前記制御手段は、
前記ブレーキ操作検出手段が前記ブレーキ操作を検出した場合、前記撮影手段の解像度を変化させる手段と、
前記撮影手段から出力された画像のうち最新の所定時間分の画像を前記記憶手段に記録し、前記異常検出手段が異常を検出した場合、前記記憶手段に記録されている前記所定時間分の画像を保存する手段と、
を備えることを特徴とする車載画像記録システム。
【請求項１０】
請求項９に記載の車載画像記録システムにおいて、
前記制御手段は、前記ブレーキ操作検出手段が前記ブレーキ操作を検出した場合、前記撮影手段の解像度を高くすることを特徴とする車載画像記録システム。
【請求項１１】
自動車に搭載され、撮影画像を記録するシステムであって、
前記自動車の走行中に車外を撮影する撮影手段と、
前記撮影手段から出力された画像を蓄積する記憶手段と、
ブレーキ操作を検出するブレーキ操作検出手段と、
前記自動車の異常状態を検出する異常検出手段と、
制御手段と、
を備え、
前記制御手段は、
前記ブレーキ操作検出手段が前記ブレーキ操作を検出した場合、前記撮影手段のフレームレートを変化させる手段と、
前記撮影手段から出力された画像のうち最新の所定時間分の画像を前記記憶手段に記録し、前記異常検出手段が異常を検出した場合、前記記憶手段に記録されている前記所定時間分の画像を保存する手段と、
を備えることを特徴とする車載画像記録システム。
【請求項１２】
請求項１１に記載の車載画像記録システムにおいて、
前記制御手段は、前記ブレーキ操作検出手段が前記ブレーキ操作を検出した場合、前記撮影手段のフレームレートを高くすることを特徴とする車載画像記録システム。
【請求項１３】
請求項１ないし請求項１２のいずれかに記載の車載画像記録システムにおいて、
前記制御手段は、前記異常検出手段が異常を検出してから所定時間経過後に、前記所定時間分の画像を保存することを特徴とする車載画像記録システム。
【発明の詳細な説明】
【技術分野】
【０００１】
本発明は、自動車に搭載され、車外を撮影する画像記録システムに関する。
【背景技術】
【０００２】
自動車にカメラを搭載して走行中の車外の風景や社内を撮影し、撮影画像をメモリに記録するドライブレコーダが存在する。そして、事故等の異常発生後に、メモリに記録された撮影画像を分析することで、事故原因を含め異常発生原因の究明を行い、安全運転指導に役立てるようにしている。
【０００３】
特許文献１で開示されている運転状況記録装置は、自動車にカメラやＧＰＳ装置などを搭載し、走行中に撮影した画像やＧＰＳ情報などを記録するものである。この装置は、事故検知部が事故を検知した場合に、カメラによる記録動作を停止し、記録されている画像をオペレーションセンターに即座に送信するようにしている。
【０００４】
【特許文献１】特開平１１−２９８８５３号公報
【発明の開示】
【発明が解決しようとする課題】
【０００５】
特許文献１で開示されている装置を用いることにより、事故発生前の撮影画像を確認することが可能であり、事故原因の究明に役立てることが可能である。また、オペレーションセンターに早急に撮影画像を送信することで、迅速な事故処理に役立てることが可能である。
【０００６】
しかし、特許文献１を含め従来のドライブレコーダは、撮影画像の品質について充分な検討がされていない。記録するメモリの容量に制約がなければ、常に高品質の画像（高解像度、高フレームレート）を記録するという方法も考えられるが、コスト面からも処理負荷の観点からも常に最高画質で画像を記録し続けるという方法は現実的ではない。逆に、画像の品質を低下させることで、メモリ容量の節約は可能となり、処理負荷の軽減を図ることは可能である。しかし、常に低画質で画像を蓄積している方法は、事故原因を分析する上で問題が生じる場合もある。
【０００７】
そこで、本発明は前記問題点に鑑み、メモリ容量の制限を考慮しつつ、有用な画像を効率的に記録することが可能な車載画像記録システムを提供することを目的とする。
【課題を解決するための手段】
【０００８】
上記課題を解決するため、請求項１記載の発明は、自動車に搭載され、撮影画像を記録するシステムであって、前記自動車の走行中に車外を撮影する撮影手段と、前記撮影手段から出力された画像を蓄積する記憶手段と、前記自動車の速度を検出する速度検出手段と、前記自動車の異常状態を検出する異常検出手段と、制御手段と、を備え、前記制御手段は、前記速度検出手段から前記自動車の速度を取得し、前記自動車の速度に応じて前記撮影手段のズーム率を変化させる手段と、前記撮影手段から出力された画像のうち最新の所定時間分の画像を前記記憶手段に記録し、前記異常検出手段が異常を検出した場合、前記記憶手段に記録されている前記所定時間分の画像を保存する手段と、を備えることを特徴とする。
【０００９】
請求項２記載の発明は、請求項１に記載の車載画像記録システムにおいて、前記制御手段は、前記自動車の速度が速くなるにつれて、前記撮影手段のズーム率を高くすることを特徴とする。
【００１０】
請求項３記載の発明は、自動車に搭載され、撮影画像を記録するシステムであって、前記自動車の走行中に車外を撮影する撮影手段と、前記撮影手段から出力された画像を蓄積する記憶手段と、前記自動車の速度を検出する速度検出手段と、前記自動車の異常状態を検出する異常検出手段と、制御手段と、を備え、前記制御手段は、前記速度検出手段から前記自動車の速度を取得し、前記自動車の速度に応じて前記撮影手段の解像度を変化させる手段と、前記撮影手段から出力された画像のうち最新の所定時間分の画像を前記記憶手段に記録し、前記異常検出手段が異常を検出した場合、前記記憶手段に記録されている前記所定時間分の画像を保存する手段と、を備えることを特徴とする。
【００１１】
請求項４記載の発明は、請求項３に記載の車載画像記録システムにおいて、前記制御手段は、前記自動車の速度が速くなるにつれて、前記撮影手段の解像度を高くすることを特徴とする。
【００１２】
請求項５記載の発明は、自動車に搭載され、撮影画像を記録するシステムであって、前記自動車の走行中に車外を撮影する撮影手段と、前記撮影手段から出力された画像を蓄積する記憶手段と、前記自動車の速度を検出する速度検出手段と、前記自動車の異常状態を検出する異常検出手段と、制御手段と、を備え、前記制御手段は、前記速度検出手段から前記自動車の速度を取得し、前記自動車の速度に応じて前記撮影手段のフレームレートを変化させる手段と、前記撮影手段から出力された画像のうち最新の所定時間分の画像を前記記憶手段に記録し、前記異常検出手段が異常を検出した場合、前記記憶手段に記録されている前記所定時間分の画像を保存する手段と、を備えることを特徴とする。
【００１３】
請求項６記載の発明は、請求項５に記載の車載画像記録システムにおいて、前記制御手段は、前記自動車の速度が速くなるにつれて、前記撮影手段のフレームレートを高くすることを特徴とする。
【００１４】
請求項７記載の発明は、自動車に搭載され、撮影画像を記録するシステムであって、前記自動車の走行中に車外を撮影する撮影手段と、前記撮影手段から出力された画像を蓄積する記憶手段と、ブレーキ操作を検出するブレーキ操作検出手段と、前記自動車の異常状態を検出する異常検出手段と、制御手段と、を備え、前記制御手段は、前記ブレーキ操作検出手段が前記ブレーキ操作を検出した場合、前記撮影手段のズーム率を変化させる手段と、前記撮影手段から出力された画像のうち最新の所定時間分の画像を前記記憶手段に記録し、前記異常検出手段が異常を検出した場合、前記記憶手段に記録されている前記所定時間分の画像を保存する手段と、を備えることを特徴とする。
【００１５】
請求項８記載の発明は、請求項７に記載の車載画像記録システムにいおいて、前記制御手段は、前記ブレーキ操作検出手段が前記ブレーキ操作を検出した場合、前記撮影手段のズーム率を低下させることを特徴とする。
【００１６】
請求項９記載の発明は、自動車に搭載され、撮影画像を記録するシステムであって、前記自動車の走行中に車外を撮影する撮影手段と、前記撮影手段から出力された画像を蓄積する記憶手段と、ブレーキ操作を検出するブレーキ操作検出手段と、前記自動車の異常状態を検出する異常検出手段と、制御手段と、を備え、前記制御手段は、前記ブレーキ操作検出手段が前記ブレーキ操作を検出した場合、前記撮影手段の解像度を変化させる手段と、前記撮影手段から出力された画像のうち最新の所定時間分の画像を前記記憶手段に記録し、前記異常検出手段が異常を検出した場合、前記記憶手段に記録されている前記所定時間分の画像を保存する手段と、を備えることを特徴とする。
【００１７】
請求項１０記載の発明は、請求項９に記載の車載画像記録システムにおいて、前記制御手段は、前記ブレーキ操作検出手段が前記ブレーキ操作を検出した場合、前記撮影手段の解像度を高くすることを特徴とする。
【００１８】
請求項１１記載の発明は、自動車に搭載され、撮影画像を記録するシステムであって、前記自動車の走行中に車外を撮影する撮影手段と、前記撮影手段から出力された画像を蓄積する記憶手段と、ブレーキ操作を検出するブレーキ操作検出手段と、前記自動車の異常状態を検出する異常検出手段と、制御手段と、を備え、前記制御手段は、前記ブレーキ操作検出手段が前記ブレーキ操作を検出した場合、前記撮影手段のフレームレートを変化させる手段と、前記撮影手段から出力された画像のうち最新の所定時間分の画像を前記記憶手段に記録し、前記異常検出手段が異常を検出した場合、前記記憶手段に記録されている前記所定時間分の画像を保存する手段と、を備えることを特徴とする。
【００１９】
請求項１２記載の発明は、請求項１１に記載の車載画像記録システムにおいて、前記制御手段は、前記ブレーキ操作検出手段が前記ブレーキ操作を検出した場合、前記撮影手段のフレームレートを高くすることを特徴とする。
【００２０】
請求項１３記載の発明は、請求項１ないし請求項１２のいずれかに記載の車載画像記録システムにおいて、前記制御手段は、前記異常検出手段が異常を検出してから所定時間経過後に、前記所定時間分の画像を保存することを特徴とする。
【発明の効果】
【００２１】
本発明の車載画像記録システムは、車速に応じて撮影装置のズーム率を調整しつつ、車外を撮影し、撮影画像を所定時間分メモリに格納する。そして、異常を検出した場合に、メモリに格納されている画像を保存する。このため、異常を検出した直前の画像は、速度に応じてズーム率が調整された画像であり、有用な情報となる。
【００２２】
また、本発明の車載画像記録システムは、車速に応じて撮影装置の解像度を調整しつつ、車外を撮影し、撮影画像を所定時間分メモリに格納する。そして、異常を検出した場合に、メモリに格納されている画像を保存する。このため、異常を検出した直前の画像は、速度に応じて解像度が調整された画像であり、有用な情報となる。
【００２３】
また、本発明の車載画像記録システムは、車速に応じて撮影装置のフレームレートを調整しつつ、車外を撮影し、撮影画像を所定時間分メモリに格納する。そして、異常を検出した場合に、メモリに格納されている画像を保存する。このため、異常を検出した直前の画像は、速度に応じてフレームレートが調整された画像であり、有用な情報となる。
【発明を実施するための最良の形態】
【００２４】
以下、図面を参照しつつ本発明の実施の形態について説明する。図１は、本発明の実施の形態に係る車載画像記録システムのブロック図であり、図２は、自動車１０に車載画像記録システムが搭載される態様を示す図である。車載画像記録システムは、カメラ１、画像処理部２、制御部３、メモリ４、衝撃センサ５、ブレーキセンサ６、速度センサ７を備えている。
【００２５】
カメラ１は、例えば自動車１０のダッシュボードの上部や、フロントガラスの内側の天井部などに取り付けられ、自動車１０の前方側の車外を撮影可能としている。画像処理部２は、カメラ１から出力された画像信号に圧縮処理等、各種の画像処理を施す処理部である。制御部３は、カメラ１に対する撮影制御、画像処理部２に対する制御、メモリ４に対する画像信号の書き込み制御を行うほか、各センサ５〜７から検出情報を入力し、検出情報に応じた処理を実行する。カメラ１に対する制御とは、具体的には、カメラ１に対する撮影開始、終了などの制御、カメラ１のズーム率の制御、撮影解像度の制御、フレームレートの制御などである。
【００２６】
衝撃センサ５は、自動車１０に発生した異常を検出する手段である。ここで、自動車１０に発生する異常とは、衝突、横転などの事故や急ブレーキ操作を含んでいる。衝撃センサ５としては、たとえば、加速度センサを利用することができる。また、自動車１０の異常を検出する手段としては、他にも振動センサや横転センサなどを利用することができる。制御部３は、衝撃センサ５から検出情報を入力し、その検出情報に基づいて、自動車１０に異常が発生したか否かを判断する。
【００２７】
ブレーキセンサ６は、運転者がブレーキ操作を行っていることを検出するセンサである。ブレーキセンサ６は、たとえば、運転者の足がブレーキペダル１１上に置かれたことを検出情報として出力するものであってもよいし、ブレーキペダル１１に対する踏み込み操作量を検出情報として出力するものであってもよい。速度センサ７は、自動車１０の速度を検出するセンサである。
【００２８】
以上の構成の車載画像記録システムが、図２に示すように自動車１０に搭載されている。通常、カメラ１は、走行中の車外の風景を常時撮影する。そして、カメラ１から出力された画像信号に対して、画像処理部２において圧縮処理を含む各種の画像処理が施される。そして、制御部３は、画像処理が施された後の画像信号をメモリ４に格納するのである。
【００２９】
図３は、制御部３によるメモリ４に対する撮影画像の記録方法を概念的に示す図である。制御部３は、メモリ４を複数のブロック領域Ａ１,Ａ２,・・・Ａｎに区画して管理する。また、各ブロックＡｋは、図に示すように複数のフレーム画像Ｂ１,Ｂ２,・・・Ｂｍが格納されるリングバッファとして利用される。
【００３０】
制御部３は、ブロック領域Ａｋに撮影画像を格納する場合、カメラ１から出力されたフレーム画像を順次フレーム画像Ｂ１,Ｂ２・・・としてブロック領域Ａｋに格納していき、フレーム画像Ｂｍを格納してブロック領域Ａｋの空き容量がなくなった時点で、再び、フレーム画像Ｂ１,Ｂ２・・・の順にフレーム画像を上書きで書き込んでいくのである。このように、ブロック領域Ａｋがリングバッファとして利用されることにより、ブロック領域Ａｋには、常に最新の所定時間分の撮影画像が記録されることになる。言い換えると、ブロック領域Ａｋには、常に、現在から所定時間分遡った時間からの映像が蓄積されることになる。たとえば、ブロック領域Ａｋには、１分前から現在までの映像が常に更新されつつ記録される。
【００３１】
制御部３は、衝撃センサ５から検出情報を入力し、異常状態であると判断すると、さらに、所定時間分だけブロック領域Ａｋに対するフレーム画像の記録を継続する。そして、所定時間経過後、ブロック領域Ａｋに対する撮影画像の記録を停止し、次に、ブロック領域Ａ（ｋ＋１）に対して撮影画像の記録を開始するのである。ブロック領域Ａ（ｋ＋１）に対する撮影画像の記録処理は、ブロック領域Ａｋに対するときと同じように、ブロック領域Ａ（ｋ＋１）をリングバッファとして利用して行われる。つまり、制御部３が自動車１０の異常状態を認識すると、その異常状態が発生した前後の映像を保存画像として固定し（上書き処理を停止し）、次のブロック領域への書き込み処理に移行するのである。たとえば、ブロック領域Ａｋには、異常発生前の４５秒間の映像と異常発生後の１５秒間の映像が記録される。
【００３２】
このように、制御部３は、各ブロック領域Ａｋをリングバッファとして利用して撮影画像を記録するとともに、異常状態が発生したと判断した場合には、ブロック領域Ａｋに記録されている映像を保存画像としてロックし、次のブロック領域Ａ（ｋ＋１）に対する撮影画像の記録を順次実行する。そして、最終のブロック領域Ａｎを保存画像としてロックした後は、再び、ブロック領域Ａ１に対する撮影画像の記録を行うのである。つまり、制御部３は、各ブロック領域Ａｋをリングバッファとして利用するとともに、全ブロックＡ１〜Ａｎをリングバッファとして利用するようにしているのである。
【００３３】
｛実施の形態１｝
次に、上記の構成の車載画像記録システムを用いて撮影画像を記録する第１の実施の形態について説明する。第１の実施の形態の車載画像記録システムは、走行中の車外の状況を撮影しつつ、車速に応じてカメラ１のズーム率を調整する。
【００３４】
上述したように、走行時、カメラ１は常時車外の状況を撮影している。そして、この撮影動作中、制御部３は、速度センサ７が検知した現在の自動車１０の速度を入力し、その速度に応じてカメラ１のズーム率を制御するのである。表１は、制御部３が速度に応じてズーム率を変化させるルールの一例を示している。この例では、時速３０ｋｍ以上６０ｋｍ未満でズーム率を５０％に調整し、時速６０ｋｍ以上９０ｋｍ未満でズーム率を１００％に調整し、時速９０ｋｍ以上１２０ｋｍ未満でズーム率を１５０％、時速１２０ｋｍ以上でズーム率を２００％に調整している。
【００３５】
【表１】
2006270175.tif 000003
【００３６】
このように、この実施の形態では、速度の上昇に応じてズーム率を高くするようにしている。言い換えると、速度の上昇に応じてカメラ１の撮影画角を狭くし、速度が遅くなるにつれて撮影画角を広角側に制御するのである。これは、自動車の運転中、速度が速くなるにつれて運転者の視線が遠くになることに対応させている。また、速度が遅いときには、運転者は自動車の周辺の広角の領域を観察しているという傾向に基づいている。このように、運転者の視線に応じたズーム率（画角）調整を行うことにより、異常状態が発生する直前に、運転者の視線に対応した映像を高い品質で記録することが可能であり、異常状態の発生の要因となった状況あるいは運転者に影響を与えた状況を鮮明な映像として記録することが可能となる。
【００３７】
ただし、速度とズーム率との関係を示す表１で示したルールは一例であり、撮影画像を解析する目的に応じて適宜ルールを調整すればよい。表１で示したものとは逆に、高速時において、広角に制御するようにしてもよい。
【００３８】
また、図４に示すように、制御部３は、基準速度以上の速度が所定時間継続した場合のみ表１のルールに従ってズーム率を変化させるようにしている。図で示した例では、速度Ｖ1未満に対してズーム率Ｚ1が、速度Ｖ1以上に対してズーム率Ｚ2が対応付けられている場合を示している。まず、車速が０からスタートしているが、速度Ｖ1未満では、ズーム率Ｚ1を維持している。そして、速度がＶ1に達した場合にもズーム率Ｚ1を維持し、速度Ｖ1がＴ1時間継続した時点から、ズーム率をＺ2に調整しているのである。あるいは、速度がＶ1以上の状態がＴ1時間継続した時点から、ズーム率をＺ2に調整するのである。
【００３９】
表１のルールに対応させて説明すると、時速３０ｋｍ以上６０ｋｍ未満であり、ズーム率が５０％に設定された状態で走行中、自動車１０の速度が上昇し、時速６０ｋｍに達したとする。そして、時速６０ｋｍ以上の状態が所定時間（たとえば１０秒以上）継続した場合に、ズーム率を１００％に調整するのである。このように、基準速度以上の速度が所定時間継続した場合のみ、ズーム率を調整することで、速度の細かい変化に応じてズーム率を小刻みに変化させるという制御を行わないようにしている。つまり、速度の小刻みな変化に応じてズーム率を小刻みに変化させると、撮影画像のズーム率が小刻みに変化するため、画像を閲覧する際に参照性が悪くなるからである。また、カメラ１のズーム率を小刻みに変化させるために、機械的な制御が頻繁に発生することを防止するためである。減速の場合も同様である。自動車１０が減速したとき、即座にズーム率を低下させるのではなく、基準速度以下の速度が所定時間継続した場合にズーム率を低下させるよう制御すればよい。
【００４０】
このように、第１の実施の形態においては、速度に応じてズーム率を変化させつつ、カメラ１により撮影を行い、撮影画像をメモリ４に格納する。これにより、制御部３が異常状態を認識して、撮影画像が保存画像としてロックされた場合に、有用な撮影画像が保存される。たとえば、高速走行時には、運転者の視線は遠方に向いているが、カメラ１のズーム率が高く調整されていることで、高速走行時に運転者の視線の先にあった映像を鮮明に記録することが可能である。また、低速走行時には、運転者の視線は、比較的自動車に近い領域に向いているため、カメラ１を広角側に調整することで、自動車周辺の広角の領域を映像として記録することが可能である。
【００４１】
｛実施の形態２｝
次に、第２の実施の形態について説明する。第２の実施の形態では、車速に応じてカメラ１の解像度を調整する。上述したように、走行時、カメラ１は常時車外の状況を撮影している。そして、この撮影動作中、制御部３は、速度センサ７が検出した現在の自動車１０の速度を入力し、その速度に応じてカメラ１の解像度を制御するのである。表２は、制御部３が速度に応じてズーム率を変化させるルールの一例を示している。この例では、時速６０ｋｍ未満で解像度を３２０dot×２４０dotに調整し、時速６０ｋｍ以上で解像度を６４０dot×４８０dotに調整している。
【００４２】
【表２】
2006270175.tif 000004
【００４３】
このように、この実施の形態では、速度の上昇に応じて解像度を高くするようにしている。これは、高速走行時には、周辺の物体が通過する速度が速くなるため、低解像度の画像では、事故の原因や異常状態の発生原因となった障害物や遠方の物体を認識することが困難となるからである。このように、速度に応じて解像度の調整を行うことにより、異常状態が発生する直前に高速走行していた場合であっても、高解像度の画像が記録され、異常原因の究明に役立てることが可能である。逆に、低速走行時には、比較的低い解像度の撮影画像で充分であり、メモリ容量の節約を図ることが可能である。
【００４４】
ただし、速度と解像度との関係を示す表２で示したルールは一例であり、撮影画像を解析する目的に応じて適宜ルールを調整すればよい。目的次第であるが、表２で示したものとは逆に、低速時において、高解像度側に制御するようにしてもよい。
【００４５】
また、図５に示すように、制御部３は、基準速度以上の速度が所定時間継続した場合のみ表２のルールに従ってズーム率を変化させるようにしている。図で示した例では、速度Ｖ2未満で解像度Ｒ1が、速度Ｖ2以上で解像度Ｒ2が対応付けられている。しかし、速度がＶ2に達した場合にも解像度Ｒ1を維持し、速度Ｖ2がＴ2時間継続した時点から、解像度をＲ2に調整しているのである。あるいは、速度がＶ2以上の状態がＴ2時間継続した時点から、解像度をＲ2に調整するのである。表２のルールに対応させて説明すると、時速６０ｋｍ未満であり、解像度が３２０dot×２４０dotに設定された状態で走行中、自動車１０の速度が上昇し、時速６０ｋｍに達したとする。この場合でも、即座に解像度の調整は行わず、時速６０ｋｍ以上の状態が所定時間（たとえば１０秒以上）継続した場合に、解像度を６４０dot×４８０dotに調整するのである。
【００４６】
このように、基準速度以上の速度が所定時間継続した場合のみ、解像度を調整することで、速度の細かい変化に応じて解像度を小刻みに変化させるという制御を行わないようにしている。つまり、速度の小刻みな変化に応じて解像度を小刻みに変化させると、撮影画像の解像度が小刻みに変化するため、画像の参照性が悪くなるからである。減速の場合も同様である。自動車１０が減速したとき、即座に解像度を低下させるのではなく、基準速度以下の速度が所定時間継続した場合に解像度を低下させるよう制御すればよい。
【００４７】
このように、第２の実施の形態においては、速度に応じて解像度を変化させつつ、カメラ１により撮影を行い、撮影画像をメモリ４に格納する。これにより、制御部３が異常状態を認識して、撮影画像が保存画像としてロックされた場合に、有用な撮影画像が保存される。たとえば、高速走行時には、カメラ１の解像度が高く調整されていることで、高速走行時においても、周辺の状況の鮮明な画像が記録され、詳細な分析が可能となる。また、低速走行時には、解像度を低く調整することで、メモリの節約を行うことが可能である。
【００４８】
｛実施の形態３｝
次に、第３の実施の形態について説明する。第３の実施の形態では、車速に応じてカメラ１のフレームレートを調整する。上述したように、走行時、カメラ１は常時車外の状況を撮影している。そして、この撮影動作中、制御部３は、速度センサ７が検出した現在の自動車１０の速度を入力し、その速度に応じてカメラ１のフレームレートを制御するのである。表３は、制御部３が速度に応じてフレームレートを変化させるルールの一例を示している。この例では、時速３０ｋｍ以上６０ｋｍ未満で、フレームレートを１０ｆｐｓ（frame per second）に調整し、時速６０ｋｍ以上９０ｋｍ未満で、２０ｆｐｓに調整し、時速９０ｋｍ以上で３０ｆｐｓに調整している。
【００４９】
【表３】
2006270175.tif 000005
【００５０】
このように、この実施の形態では、速度の上昇に応じてフレームレートを高くするようにしている。これは、高速走行時には、周辺の物体が通過する速度が速くなるため、低フレームレートの画像では、事故の原因や異常状態の発生原因となった障害物や遠方の物体を認識することが困難となるからである。このように、速度に応じてフレームレートの調整を行うことにより、異常状態が発生する直前に高速走行していた場合であっても、高フレームレートの画像が記録され、異常原因の究明に役立てることが可能である。逆に、低速走行時には、比較的低いフレームレートの撮影画像で充分であり、メモリ容量の節約を図ることが可能である。
【００５１】
たとえば、時速３０ｋｍは、秒速約８ｍであるので、フレームレートが１０ｆｐｓである場合には、自動車１０が０．８ｍ移動するごとに画像が記録されることになる。そして、このまま時速９０ｋｍにおいても１０ｆｐｓで画像を記録した場合、自動車が２．４ｍ移動するごとに画像が記録されることなり、画像の時間間隔が非常に広くなり、得られる情報の質が低下する。そこで、表３で示したようなフレームレートの制御を行うことで、高速となった場合にも有用な画像を記録するようにしているのである。
【００５２】
ただし、速度とフレームレートとの関係を示す表３で示したルールは一例であり、撮影画像を解析する目的に応じて適宜ルールを調整すればよい。目的次第であるが、表３で示したものとは逆に、低速時において、高いフレームレートに制御するようにしてもよい。
【００５３】
また、図６に示すように、制御部３は、基準速度以上の速度が所定時間継続した場合のみ表３のルールに従ってフレームレートを変化させるようにしている。図で示した例では、速度Ｖ3未満に対してフレームレートＦ1が、速度Ｖ3以上でフレームレートＦ2が対応付けられている。しかし、速度がＶ3に達した場合にも即座にフレームレートを調整せず、速度Ｖ3がＴ3時間継続した時点から、フレームレートをＦ2に調整しているのである。あるいは、速度がＶ3以上の状態がＴ3時間継続した時点から、フレームレートをＦ2に調整するのである。表３のルールに対応させて説明すると、時速３０ｋｍ以上６０ｋｍ未満で、フレームレート１０ｆｐｓの状態で走行中、自動車１０の速度が上昇し、時速６０ｋｍに達したとする。この場合でも、即座にフレームレートの調整は行わず、時速６０ｋｍ以上の状態が所定時間（たとえば１０秒以上）継続した場合に、フレームレートを２０ｆｐｓに調整するのである。
【００５４】
このように、基準速度以上の速度が所定時間継続した場合のみ、フレームレートを調整することで、速度の細かい変化に応じてフレームレートを小刻みに変化させるという制御を行わないようにしている。つまり、速度の小刻みな変化に応じてフレームレートを小刻みに変化させると、撮影画像のフレームレートが小刻みに変化するため、画像の参照性が悪くなるからである。減速の場合も同様である。自動車１０が減速したとき、即座にフレームレートを低下させるのではなく、基準速度以下の速度が所定時間継続した場合にフレームレートを低下させるよう制御すればよい。
【００５５】
このように、第３の実施の形態においては、速度に応じてフレームレートを変化させつつ、カメラ１により撮影を行い、撮影画像をメモリ４に格納する。これにより、制御部３が異常状態を認識して、撮影画像が保存画像としてロックされた場合に、有用な撮影画像が保存される。たとえば、高速走行時には、カメラ１のフレームレートが高く調整されていることで、高速走行時においても、周辺映像の詳細な状況を分析可能となる。また、低速走行時には、フレームレートを低く調整することで、メモリの節約を行うことが可能である。
【００５６】
｛第４の実施の形態｝
次に、第４の実施の形態について説明する。第４の実施の形態では、ブレーキ操作に応じてズーム率や解像度、フレームレートを調整する。上述したように、走行時、カメラ１は常時車外の状況を撮影している。そして、この撮影動作中、制御部３は、ブレーキセンサ６が検出した情報を入力し、ブレーキ操作がされたことを認識すると、ズーム率や、解像度、フレームレートを変更するのである。
【００５７】
具体的には、制御部３は、ブレーキ操作がされたことを認識すると、ズーム率を広角側に調整し、解像度を高解像度側に調整し、フレームレートを高フレームレート側に調整する。異常状態が発生する場合には、その直前に運転者がブレーキ操作を行っている可能性が高い。そこで、ブレーキ操作を行った場合には、解像度を高くし、あるいは、フレームレートを高くすることで、記録される撮影画像の品質が高くなるように制御するのである。これにより、その後、制御部３が異常状態を認識し、撮影画像を保存画像とすれば、異常原因を究明するための詳細な画像が記録されることになる。また、走行時に遠方を観察している運転者の視線は、ブレーキ操作に伴い近距離側に移動する傾向がある。そこで、ブレーキ操作が行われた場合には、ズーム率を小さくし、つまり、広角側に制御することで、運転者の視野にあった映像を記録するようにしているのである。これにより、その後、制御部３が異常状態を認識し、撮影画像を保存画像とすれば、異常が発生する直前の映像は、運転者の視線にあった広角の映像であるので、異常原因を究明するに役立つ情報となる。
【００５８】
図７は、制御部３が制御するズーム率とブレーキ操作との関係を示す図である。速度Ｖ4で走行中、ズーム率はＺ3に調整されている。そして、ブレーキ操作の開始とともにズーム率を小さくし、つまり、広角側に制御し、最終的にズーム率がＺ4となるように制御している。この例では、ズーム率をＺ3からＺ4へ一段階小さく調整するようにしているが、ブレーキ操作が行われている間に複数の段階を経てズーム率を小さく変更させていくようにしてもよい。同様に、解像度およびフレームレートについてもブレーキ操作の開始とともに調整する。ただし、解像度およびフレームレートについては、ブレーキ操作とともに、それぞれ高解像度、高フレームレート側に調整する。
【００５９】
この実施の形態では、ブレーキ操作に伴い、ズーム率を低下させ、解像度およびフレームレートが高くなるように制御したが、これは一例であり、目的に応じて制御方法は自由に変更してよい。たとえば、ブレーキ操作に伴い、ズーム率を高く調整してもよいし、解像度およびフレームレートが低くなるように調整してもよい。
【００６０】
｛その他の実施の形態｝
上述した第１〜第４の実施の形態により、制御部３は、異常状態を認識した後に、異常状態が発生した前後の映像をメモリ４に保存する。そして、後にメモリ４に格納されている映像を再生してディスプレイに表示させることで、事故を含む異常状態の原因分析を行う。
【００６１】
ディスプレイに撮影画像を表示させる場合、第１の実施の形態で示したように、ズーム率（画角）が速度に応じて変化していると、映像からは速度の感覚をつかみ難いという問題がある。つまり、実際には高速走行をしている場合であっても、ズーム率が高い場合は、映像からは高速であるという感覚を得難い。そこで、図８および図９に示すように、ディスプレイに映像を表示させる場合には、距離の指標ＲＬを重ねて表示させるのである。図８は、低速走行時の場合であり、２０ｍの位置と４０ｍの位置に指標ＲＬが表示されていることを示している。図９は、高速走行時の場合であり、５０ｍの位置と１００ｍの位置に指標ＲＬが表示されている。このような指標ＲＬを表示させることで、映像だけでは把握し難い速度の感覚を観察者に与えることが可能である。
【００６２】
また、第４の実施の形態においては、ブレーキ操作に応じてズーム率等を調整した。そこで、図８に示すように、ブレーキ操作が行われている期間は、再生する映像にブレーキが操作されていることを示す記号ＳＤを表示させるのである。図８では、記号ＳＤとして、ブレーキを示す“Ｂ”の文字が表示されている。これにより、映像を分析する際に、ブレーキ操作がされているかどうかを確認することが可能であり、異常状態の原因究明に役立てることが可能である。
【００６３】
なお、指標ＲＬや記号ＳＤを表示させるためには、記録されている映像とリンクした速度の情報やブレーキ操作に関する情報が必要である。そこで、指標ＲＬを表示させるために、制御部３は、撮影画像とともに速度情報をメモリ４に記録するようにしている。また、記号ＳＤを表示させるために、制御部３は、撮影画像とともにブレーキ操作に関する情報を記録するようにしている。
【００６４】
上記第１〜第３の実施の形態では、それぞれ、ズーム率を調整する画像記録システム、解像度を調整する画像記録システム、フレームレートを調整する画像記録システムを個別に説明した。しかし、これら各要素を複合的に制御するようにしてもよい。たとえば、速度の上昇に伴い、ズーム率を高くするとともに、高解像度、高フレームレートに調整するようにしてもよい。さらに、第４の実施の形態で示したブレーキ操作と連動した操作を組み合わせるようにしてもよい。
【図面の簡単な説明】
【００６５】
【図１】車載画像記録システムのブロック図である。
【図２】自動車に搭載された車載画像記録システムのブロック図である。
【図３】メモリに対する画像の記録方式を概念的に示す図である。
【図４】速度とズーム率との関係を示す図である。
【図５】速度と解像度との関係を示す図である。
【図６】速度とフレームレートとの関係を示す図である。
【図７】ブレーキ操作とズーム率との関係を示す図である。
【図８】低速走行時における撮影画像の表示例を示す図である。
【図９】高速走行時における撮影画像の表示例を示す図である。
【符号の説明】
【００６６】
１    カメラ
２    画像処理部
３    制御部
４    メモリ
５    衝撃センサ
６    ブレーキセンサ
７    速度センサ
【図１】
2006270175.tif 000006
【図２】
2006270175.tif 000007
【図３】
2006270175.tif 000008
【図４】
2006270175.tif 000009
【図５】
2006270175.tif 000010
【図６】
2006270175.tif 000011
【図７】
2006270175.tif 000012
【図８】
2006270175.tif 000013
【図９】
2006270175.tif 000014